(57)【要約】【課題】多数個のスポンジ製洗浄ボールに対して一度に水を浸透させることができ、またポンプ等の機器類を不要としたシンプルな構成の洗浄ボールの脱泡器を提供する。【解決手段】洗浄ボール収容容器２内にスポンジボール製の複数個の洗浄ボールを水と共に収容した状態で、水道蛇口２２に接続した水流ポンプ１８により洗浄ボール収容容器２内を負圧状態としてスポンジボールを収縮させて脱泡し、その後洗浄ボール収容容器２内を大気圧として収縮状態の洗浄ボールがその弾性力で復元する際に、水を吸水し洗浄ボール内に水が浸透する。【選択図】図１
0003159182.tif 000002
【実用新案登録請求の範囲】
【請求項１】
スポンジボール製の複数個の洗浄ボールを取り出し可能に収容する洗浄ボール収容容器と、前記洗浄ボール収容容器内への通水を遮断する通水開閉コックと、前記洗浄ボール収容容器内と容器外との通気を遮断する通気コックと、前記洗浄ボール収容容器に接続され、前記洗浄ボール収容容器内を負圧にする水流ポンプと、水道蛇口に接続されて前記通水開閉コックと前記水流ポンプにそれぞれ水道水を供給するホースとを有し、
前記通水コックの開操作により前記洗浄ボール収容容器内に水道水の通水後前記通水コックの閉操作で前記洗浄ボール収容容器内を前記水流ポンプにより負圧状態として洗浄ボールを収縮させて脱泡処理し、負圧状態にある前記洗浄ボール収容容器に対し、前記通気コックを開操作して前記洗浄ボール収容容器内を大気圧として洗浄ボールをその弾性力で復元させる際に洗浄ボール内に水を浸透させることを特徴とする洗浄ボールの脱泡器。
【請求項２】
前記通水開閉コックと前記水流ポンプにそれぞれ水道水を供給するホースは２方向分配器にそれぞれ接続されて水道蛇口側に接続されることを特徴とする請求項１に記載の洗浄ボールの脱泡器。
【請求項３】
前記洗浄ボール収容容器は、縦長の筒状に形成した容器本体の上部開口を取り外し可能な蓋体により密閉状態に固定したことを特徴とする請求項１または２に記載の洗浄ボールの脱泡器。
【請求項４】
前記蓋体に、前記通水開閉コックと前記通気コックを設けたことを特徴とする請求項３に記載の洗浄ボールの脱泡器。
【考案の詳細な説明】
【技術分野】
【０００１】
本考案は、液体を吸い込んだ状態で例えば熱交換器の管内を移動して洗浄するスポンジゴム球体からなる洗浄ボール内への給水処理と脱泡処理とを水流ポンプ（アスピレーター）を用いて急速に行わせる洗浄ボールの脱泡器に関する。
【背景技術】
【０００２】
発電所等における復水器あるいは空調設備に使用される熱交換器において、冷却水が通る管式熱交換器の伝熱管内に付着したスライムや藻等を除去するために、スポンジ製ボールからなる洗浄ボールを管内に強制的かつ連続的に通して、管内壁に付着した付着物を除去し洗浄する方法が提案されている（特許文献１）。
【特許文献１】特開平５−２８０８８９号公報
【考案の概要】
【考案が解決しようとする課題】
【０００３】
洗浄ボールは、管内の水流と共に移動し易く、しかも液体（水）が十分に浸透するように、連続気泡のスポンジゴムにより構成されている。
【０００４】
ところで、洗浄ボールは、液面に少しだけ浮いた状態で使用するように比重調節がなされているが、液体の浸透が不十分であると見かけ比重が軽くなり、洗浄ボールの通過経路中に自由水面があると洗浄ボールが浮上して水面を浮遊することから、管内への通過が円滑に行われなくなってしまう。
【０００５】
そこで、洗浄ボールに予め水を十分に浸透させてから、例えば前記管式熱交換器を備えた設備に接続された洗浄装置に供給できれば洗浄ボールの浮遊現象を防止することができる。
【０００６】
この場合、洗浄ボールに水を浸透させるための装置が小型で可搬性を備えていると、洗浄装置の傍での作業が可能となる。
【０００７】
また、洗浄ボールに水を浸透させる装置構成は、モータ駆動されるポンプ等の機器を利用することなく水道水の水流を利用できれば軽量化と省エネ化が図れ、環境対策の点からも望まれる。
【０００８】
一方、本願考案者は洗浄ボールに水を浸透させる方法として、洗浄ボール内の空気を抜き取る脱泡方法が簡単で効率良く行えることを見出した。
【０００９】
本考案の目的は、このような問題に鑑みなされたもので、水道蛇口から流れる水を利用するだけで一度に複数個の洗浄ボール内に水を浸透させることができ、またポンプ等の機器類を不要としたシンプルな構成の洗浄ボールの脱泡器を提供することにある。
【課題を解決するための手段】
【００１０】
本考案を図１を参照して説明すると、洗浄ボール収容容器２内にスポンジボール製の複数個の洗浄ボールを水と共に収容した状態で、水道蛇口２２に接続した水流ポンプ１８により洗浄ボール収容容器２内を負圧状態としてスポンジボールを収縮させて脱泡し、その後洗浄ボール収容容器２内を大気圧とすることで、収縮状態の洗浄ボールがその弾性力で復元する際に水を吸水し洗浄ボール内に水が浸透する。
【考案の効果】
【００１１】
本考案によれば、水流ポンプを利用して洗浄ボール収容容器内を負圧状態として洗浄ボールを収縮させるという簡単で軽量な洗浄ボールの脱泡器を得ることができ、しかも洗浄ボール収容容器内を負圧状態から大気圧状態とするだけで複数個の洗浄ボールに対して一度に吸水させて水を十分に浸透させることができる。
【図面の簡単な説明】
【００１２】
【図１】本考案の一実施形態を示す配管図である。
【考案を実施するための形態】
【００１３】
以下、本考案を図面に示す実施形態に基づいて説明する。
【００１４】
図１は、本考案による洗浄ボールの脱泡器の実施形態を示す配管図である。
【００１５】
本実施形態の洗浄ボールの脱泡器１は、ステンレス製の洗浄ボール収容容器２内に多数個のスポンジ製の洗浄ボール（不図示）を収容すると共に水道水を満たした状態で、この洗浄ボール収容容器２内を負圧にする。水が満たされている洗浄ボール収容容器内が負圧になると、各洗浄ボールが収縮し洗浄ボール内の空気が泡となって抜け出る脱泡現象が生じ、脱泡空気を容器外に排出する。
【００１６】
その後、洗浄ボール収容容器２内を大気圧状態とすることで洗浄ボールがその弾性力により復元することになるが、その際、洗浄ボール収容容器２内の水が洗浄ボール内に浸透し、洗浄ボール内に水が十分に含むことになる。
【００１７】
洗浄ボール収容容器２は、円筒形状に形成した縦長の容器本体３と、容器本体３の上部開口を開閉可能に覆う蓋体４を有し、蓋体４の下部に形成したフランジ部５と容器本体３の上部開口周囲に形成したフランジ部６とを合わせ、これら上下のフランジ部５，６を締結バンド７により締め付けることにより容器本体３内を密閉している。
【００１８】
蓋体４の上部には、通水用ポート８と排出用ポート９とが取り付けられ、蓋体４を容器本体３に取り付けた状態で容器本体３内と連通している。通水用ポート８は２つの入力ポート１０、１１を有し、一方の入力ポート１０には通水開閉コック１２が取り付けられ、他方の入力ポート１１には外気を容器本体３内に導入する通気コック１３が取り付けられている。この通気コック１３は後述する脱泡処理時には閉じられ、脱泡処理の終了後に開くことで容器本体３内の圧力を大気圧力とする。この通気コック１３の開放により、後述するように、容器本体３内で収縮していた洗浄ボールがその弾性力により元に戻る際、容器本体３内の水を一気に吸水し、洗浄ボール内に水を浸透させることができる。
【００１９】
排出用ポート９は２つの出力ポート１４、１５を有し、一方の出力ポート１４には圧力計１６を取り付け、他方の出力ポート１５には排出ホース１７を接続している。
【００２０】
排出ホース１７は、水流ポンプ（アスピレーター）１８の吸引分岐部１９に接続されている。水流ポンプ１８はＴ字形状に形成され、送水部２０側から水道水を流すと、送水部２０内で噴流が発生し、その際吸引分岐部１９側から気体を吸引し、気体と共に排水部２１に排出する。すなわち、吸引分岐部１９には負圧が発生するので、排出ホース１７を介して容器本体３内を真空にする。なお、吸引分岐部１９内には、逆止弁（不図示）が設けられ、排出部２１側への空気の排気を可能とするが排出ホース１７側へ空気が戻らないようにしている。
【００２１】
本実施形態において、水道蛇口２２にホース取り付け具２３を介して２方向分配器２４をホース２３ａにより接続している。２方向分配器２４は一方の分配ポート２５を通水ホース２６を介して通水開閉コック１２に接続し、他方の分配ポート２７を水流ポンプ用送水ホース２８を介して水流ポンプ１８の送水部２０に接続している。また水流ポンプ１８の排水部２１には排水ホース２９が接続され、排水槽３０に水流ポンプ１８の排水を流すようにしている。
【００２２】
上記した構成の本実施形態において、洗浄ボールを直径１５ｍｍのスポンジボールとし、容器本体３の内容量を１リットルとした場合、容器本体３内には約３００個程度の洗浄ボールを収容することができる。容器本体３内に例えば上記した洗浄ボールを約３００個収容し、容器本体３に蓋体４を被せて締結バンド７により蓋体４を固定する。
【００２３】
水道蛇口２２を開き、通水開閉コック１２を開くと、容器本体３内に水道水が供給される。一方、水流ポンプ１８の送水部２０から排水部２１に向けて水が流れるため、吸引分岐部１９には負圧が生じる。但し、容器３内に水道水が供給されている間は、容器本体３内は正圧状態であるため、容器本体３内の空気が排出用ポート９から排出ホース１７を通し、吸引分岐部１９を経て排水ホース２９から水道水に混ざって排出される。
【００２４】
容器本体３内に供給された水道水が満杯となると、圧力計１６の指示圧が水道水の通水圧となるため、通水開閉コック１２を閉じる。通水開閉コック１２が閉じられると、容器本体３内には水道水が供給されず、しかも密閉状態となっているため、水流ポンプ１８により容器本体３内は負圧状態となる。
【００２５】
容器本体３内が負圧状態となると、空気を多く含んでいる洗浄ボールは収縮を始めるため、洗浄ボール内の空気が泡となって排出される脱泡現象が生じる。すなわち、負圧によって洗浄ボールが押し潰された状態となる。洗浄ボールの脱泡現象が終了すると、容器本体３内の負圧が略一定値となるため、通気コック１３を開き容器本体３内を大気圧にする。
【００２６】
容器本体３内が大気圧になると、収縮していた洗浄ボールがその弾性力により元の形状に戻り始めるが、その際スポンジ内に容器本体３内の水が浸透し、洗浄ボール内に十分な水が含水することになる。そして、蓋体４を開くことで、容器本体３内で十分に含水している多数の洗浄ボールを取り出すことができる。
【００２７】
このように、本実施形態によれば、水道蛇口からの水流により駆動する水流ポンプ１８により容器本体３内に水道水と共に収容されている多数個の洗浄ボールを一度に収縮させ、容器本体３内を大気圧に戻すことで洗浄ボールの弾性復元時に洗浄ボール内に十分な量の水を含水させることができる。
【００２８】
スポンジ製の洗浄ボールを収縮させるには大きな負圧は必要としないため、水流ポンプ１８が発生する負圧でも十分に洗浄ボールを収縮させることができる。特に、容器本体３内に水道水を供給することは必要であることから、この水道水を利用して水流ポンプ１８により負圧を発生させることは経済的でもある。
【００２９】
また電気駆動あるいは内燃機関駆動による真空ポンプを用いていないため、洗浄ボールの脱泡器１の全体重量を軽量化でき、またＣＯ２の排出削減につながる。
【符号の説明】
【００３０】
１  洗浄ボールの脱泡器
２  洗浄ボール収容容器
３  容器本体
４  蓋体
５、６  フランジ部
７  締結バンド
８  通水用ポート
９  排出用ポート
１２  通水開閉コック
１３  通気コック
１６  圧力計
１７  排出ホース
１８  水流ポンプ
１９  給水分岐部
２０  送水部
２１  排水部
２２  水道蛇口
２３  ホース取り付け具
２４  ２方向分配器
２６  通水ホース
２８  水流ポンプ用送水ホース
２９  排水ホース
３０  排水槽
【図１】
0003159182.tif 000003
【手続補正書】
【提出日】平成22年3月3日(2010.3.3)
【手続補正１】
【補正対象書類名】実用新案登録請求の範囲
【補正対象項目名】全文
【補正方法】変更
【補正の内容】
【実用新案登録請求の範囲】
【請求項１】
スポンジボール製の複数個の洗浄ボールを取り出し可能に収容する洗浄ボール収容容器と、前記洗浄ボール収容容器内への通水を遮断する通水開閉コックと、前記洗浄ボール収容容器内と容器外との通気を遮断する通気コックと、前記洗浄ボール収容容器に接続され、前記洗浄ボール収容容器内を負圧にする水流ポンプと、水道蛇口に接続されて前記通水開閉コックと前記水流ポンプにそれぞれ水道水を供給するホースとを有し、
前記通水開閉コックの開操作により前記洗浄ボール収容容器内に水道水の通水後、前記通水開閉コックの閉操作で前記洗浄ボール収容容器内を前記水流ポンプにより負圧状態として洗浄ボールを収縮させて脱泡処理し、負圧状態にある前記洗浄ボール収容容器に対し、前記通気コックを開操作して前記洗浄ボール収容容器内を大気圧として洗浄ボールをその弾性力で復元させる際に洗浄ボール内に水を浸透させることを特徴とする洗浄ボールの脱泡器。
【請求項２】
前記通水開閉コックと前記水流ポンプにそれぞれ水道水を供給するホースは２方向分配器にそれぞれ接続されて水道蛇口側に接続されることを特徴とする請求項１に記載の洗浄ボールの脱泡器。
【請求項３】
前記洗浄ボール収容容器は、縦長の筒状に形成した容器本体の上部開口を取り外し可能な蓋体により密閉状態に固定したことを特徴とする請求項１または２に記載の洗浄ボールの脱泡器。
【請求項４】
前記蓋体に、前記通水開閉コックと前記通気コックを設けたことを特徴とする請求項３に記載の洗浄ボールの脱泡器。